(57)【要約】【課題】車両前後方向における可動パネルの開口量を増加させることのできるサンルーフ装置を提供する。【解決手段】サンルーフ装置は、車両のルーフに形成される開口部を開閉する可動パネルと、開口部の車両の幅方向両縁部の各々に設けられており車両前側の端部には車両後方に向かって斜め上方に延びる傾斜部１３Ａを有するガイドレール１３と、傾斜部１３Ａに沿って移動する案内部１１０を車両前側の部位に有しており可動パネルを支持するブラケット１００と、ブラケット１００が回動可能に係合するとともにガイドレール１３に沿って車両前後方向に移動するフロント摺動機構２００とを備えている。ブラケット１００は車両上下方向に延びる縦長の係合孔１２０を有しており、フロント摺動機構２００は係合孔１２０に係合するピン２１１を有している。【選択図】図９
2019043153.tif 000002
【特許請求の範囲】
【請求項１】
車両のルーフに形成される開口部を開閉する可動パネルと、
前記開口部の車両の幅方向両縁部の各々に設けられており、車両前側の端部には車両後方に向かって斜め上方に延びる傾斜部を有するガイドレールと、
前記傾斜部に沿って移動する案内部を車両前側の部位に有しており前記可動パネルを支持するブラケットと、
前記ブラケットが回動可能に係合するとともに前記ガイドレールに沿って車両前後方向に移動する摺動機構と、を備え、
前記ブラケット及び前記摺動機構の一方は車両上下方向に延びる縦長の係合孔を有しており、前記ブラケット及び前記摺動機構の他方は前記係合孔に係合するピンを有する
サンルーフ装置。
【請求項２】
前記ピンの外周面には樹脂製のカラーが設けられている
請求項１に記載のサンルーフ装置。
【請求項３】
前記ブラケットは前記係合孔を有しており、
前記摺動機構は、前記ピンを有しており前記ブラケットが回動可能に係合するシュー本体と、駆動源から駆動力が伝達されることにより前記ガイドレールに沿って車両前後方向に移動する駆動シューと、前記シュー本体と一体になって前記ガイドレールを移動するとともに前記駆動シューに対して係脱可能なチェックとを有する
請求項１または２に記載のサンルーフ装置。
【請求項４】
前記ブラケットは前記ピンを有しており、
前記摺動機構は、前記係合孔を有しており前記ブラケットが回動可能に係合するシュー本体と、駆動源から駆動力が伝達されることにより前記ガイドレールに沿って車両前後方向に移動する駆動シューと、前記シュー本体と一体になって前記ガイドレールを移動するとともに前記駆動シューに対して係脱可能なチェックとを有する
請求項１または２に記載のサンルーフ装置。
【発明の詳細な説明】
【技術分野】
【０００１】
本発明は、車両のサンルーフ装置に関する。
【背景技術】
【０００２】
車両に搭載されるサンルーフ装置として、例えば特許文献１に記載されたものが知られている。
この特許文献１に記載のサンルーフ装置は、車両前後方向に移動することにより車両のルーフに形成された開口部を開閉する可動パネルと、可動パネルを支持するブラケットと、ガイドレールと、ガイドレールに沿って移動する摺動部材と、この摺動部材とブラケットとを連結するリンク機構とを備えている。そして、摺動部材の移動に伴ってリンク機構が作動するとブラケットが昇降することにより、可動パネルにおいて車両前側の部位が昇降動作する。
【先行技術文献】
【特許文献】
【０００３】
【特許文献１】独国特許出願公開第１０２０１１０１５８３３号明細書
【発明の概要】
【発明が解決しようとする課題】
【０００４】
ところで、上記特許文献１に記載のサンルーフ装置では、摺動部材の可動範囲内において当該摺動部材が移動しても、リンク機構のアーム部が開閉動作するのみでブラケットが移動しない区間がある。そのため、ブラケットに支持された可動パネルの車両前後方向における開口量が少なくなってしまう。
【０００５】
本発明は、このような事情に鑑みてなされたものであり、その目的は、車両前後方向における可動パネルの開口量を増加させることのできるサンルーフ装置を提供することにある。
【課題を解決するための手段】
【０００６】
上記課題を解決するサンルーフ装置は、車両のルーフに形成される開口部を開閉する可動パネルと、前記開口部の車両の幅方向両縁部の各々に設けられており、車両前側の端部には車両後方に向かって斜め上方に延びる傾斜部を有するガイドレールと、前記傾斜部に沿って移動する案内部を車両前側の部位に有しており前記可動パネルを支持するブラケットと、前記ブラケットが回動可能に係合するとともに前記ガイドレールに沿って車両前後方向に移動する摺動機構とを備えている。そして、前記ブラケット及び前記摺動機構の一方は車両上下方向に延びる縦長の係合孔を有しており、前記ブラケット及び前記摺動機構の他方は前記係合孔に係合するピンを有している。
【０００７】
同構成によれば、摺動機構が車両後方に移動すると、上記係合孔と上記ピンとの係合によってブラケットは摺動機構により直接車両後方へと移動される。ブラケットが車両後方に移動すると、ブラケットにおいて車両前側に設けられた案内部がガイドレールの傾斜部に沿うようにして車両後方に向かい斜め上方に移動することにより、ブラケットの車両前部は上昇し、こうしたブラケットの上昇により、可動パネルにおいて車両前側の部位が上昇する。なお、車両後方に移動した摺動機構が車両前方に移動すると、上記の逆順でサンルーフ装置は動作する。
【０００８】
このように同構成によれば、摺動機構によってブラケットが直接移動されるため、摺動機構の移動は直ちにブラケットの移動に反映される。従って、ブラケットに支持された可動パネルの車両前後方向における開口量を増加させることができるようになる。
【０００９】
また、従来のようなリンク機構を用いることなく、簡素な構造でブラケットを上昇させることができるため、部品点数や重量などを削減することができる。
また、上記係合孔は車両上下方向に延びる縦長の形状になっているため、そうした係合孔を車両上下方向に対して斜めに設ける場合と比較して、ガイドレールに沿う方向への摺動機構の移動が、ガイドレールに沿う方向へのブラケットの移動へと直接変換される。従って、これによってもブラケットに支持される可動パネルの車両前後方向における開口量を増加させることができる。
【００１０】
上記サンルーフ装置において、前記ピンの外周面には樹脂製のカラーを設けてもよい。
同構成によれば、係合孔とピンとが互いに相対移動する際の摺動抵抗を低減することができる。また、アウトサート成形にて係合孔の周囲に樹脂を一体成形する場合にも同様に摺動抵抗を低減することは可能ではあるが、同構成によれば、そうした一体成形に要する工数やコスト等を削減することが可能になる。
【００１１】
また、上記サンルーフ装置の構成としては、前記ブラケットは前記係合孔を有しており、前記摺動機構は、前記ピンを有しており前記ブラケットが回動可能に係合するシュー本体と、駆動源から駆動力が伝達されることにより前記ガイドレールに沿って車両前後方向に移動する駆動シューと、前記シュー本体と一体になって前記ガイドレールを移動するとともに前記駆動シューに対して係脱可能なチェックとを有するようにしてもよい。
【００１２】
また、上記サンルーフ装置の構成としては、前記ブラケットは前記ピンを有しており、前記摺動機構は、前記係合孔を有しており前記ブラケットが回動可能に係合するシュー本体と、駆動源から駆動力が伝達されることにより前記ガイドレールに沿って車両前後方向に移動する駆動シューと、前記シュー本体と一体になって前記ガイドレールを移動するとともに前記駆動シューに対して係脱可能なチェックとを有するようにしてもよい。
【発明の効果】
【００１３】
上記サンルーフ装置によれば、車両前後方向における可動パネルの開口量を増加させることができる。
【図面の簡単な説明】
【００１４】
【図１】サンルーフ装置の一実施形態についてその構造を示す斜視図。
【図２】同実施形態のサンルーフ装置の構造を示す平面図。
【図３】同実施形態のサンルーフ装置の分解斜視図。
【図４】同実施形態のフロント摺動機構の分解斜視図。
【図５】同実施形態のリア摺動機構の分解斜視図。
【図６】同実施形態において可動パネルが閉塞状態になっているときのリア摺動機構の側面図。
【図７】同実施形態においてブラケットの上昇が完了しているときのリア摺動機構の側面図。
【図８】（Ａ）及び（Ｂ）及び（Ｃ）は、同実施形態のサンルーフ装置の動作態様を示す側面図。
【図９】同実施形態のフロント摺動機構の動作態様を示す側面図。
【図１０】同実施形態のフロント摺動機構の動作態様を示す側面図。
【図１１】同実施形態のフロント摺動機構の動作態様を示す側面図。
【図１２】図９のＡ−Ａ線に沿った断面図。
【図１３】（Ａ）及び（Ｂ）及び（Ｃ）は、同実施形態のリア摺動機構の動作態様を示す側面図。
【図１４】図７のＢ−Ｂ線に沿ったリア摺動機構の断面図。
【図１５】図７のＣ−Ｃ線に沿ったリア摺動機構の断面図。
【図１６】図７のＤ−Ｄ線に沿ったリア摺動機構の断面図。
【発明を実施するための形態】
【００１５】
以下、サンルーフ装置の一実施形態について説明する。
なお、以下の説明において、車両における「車両上下方向」とは、車両が平地に配置されたときに鉛直方向に沿う方向を示す。また、サンルーフ装置において「車両上下方向（図にＤＺと記載）」とは、サンルーフ装置が車両に搭載されたときの姿勢を基準姿勢として、その基準姿勢で車両上下方向に沿う方向である。また、サンルーフ装置において「車両前後方向（図にＤＹと記載）」とは、サンルーフ装置が上記基準姿勢であるときの車両前後方向に沿う方向である。また、サンルーフ装置において「車両幅方向（図にＤＸと記載）」とは、サンルーフ装置が上記基準姿勢であるときの車両幅方向に沿う方向である。
【００１６】
図１に示すように、自動車などの車両のルーフ１０には、略四角形の開口部１０ａが形成されるとともに、サンルーフ装置１１が搭載される。このサンルーフ装置１１は、車両前後方向に移動して開口部１０ａを開閉する、例えばガラス板からなる略四角形の可動パネル１２を備えている。
【００１７】
可動パネル１２は、その前側部位を支点に後側部位が上昇するチルトアップ動作及び前後方向へのスライド動作可能に取り付けられている。可動パネル１２による開口部１０ａの開閉方法としては、チルトアップ状態のままスライド動作する、いわゆるアウタスライディング式が採用されている。なお、以下の説明では、開口部１０ａに可動パネル１２が嵌まるように移動する動作を「閉塞動作」という。
【００１８】
次に、可動パネル１２のチルト動作や開閉動作等を行うサンルーフ装置１１の構造について説明する。
図２に示すように、開口部１０ａの車両の幅方向における両縁部の各々にはガイドレール１３が配設されている。各ガイドレール１３は、例えばアルミニウム合金の押出材からなり、長手方向に一定断面を有して車両前後方向に延在している。
【００１９】
各ガイドレール１３には、車両前側から車両後側に向かって順に、フロント摺動機構２００とリア摺動機構３００とが配設されている。これらフロント摺動機構２００及びリア摺動機構３００は、ガイドレール１３を車両前後方向に移動可能に案内及び支持されている。
【００２０】
フロント摺動機構２００は、駆動源から駆動力が伝達されることによりガイドレール１３に沿って車両前後方向に移動するフロント駆動シューを備えている。同様に、リア摺動機構３００は、駆動源から駆動力が伝達されることによりガイドレール１３に沿って車両前後方向に移動するリア駆動シューを備えている。
【００２１】
フロント摺動機構２００及びリア摺動機構３００には、車両前後方向に延在する金属製のブラケット１００が連係及び支持されている。各ブラケット１００には、それらの間に橋渡しされる状態で上記の可動パネル１２が支持されている。
【００２２】
各ガイドレール１３の前端同士は、車両の幅方向に延在するハウジング１４を介して連結されている。
ハウジング１４の長手方向における中央部分には、例えば出力ギアを有しており上記駆動源を構成するモータ１５が設置されている。このモータ１５には、例えば樹脂材からなる略帯状の一対の駆動ベルト１６が巻き掛けられている。
【００２３】
一対の駆動ベルト１６のそれぞれは、各ガイドレール１３に配設されたフロント摺動機構２００のフロント駆動シュー及びリア摺動機構３００のリア駆動シューに連結されており、フロント駆動シュー及びリア駆動シューは車両前後方向に向かって同時に移動する。
【００２４】
なお、各ガイドレール１３に配設されるフロント摺動機構２００及びリア摺動機構３００及びブラケット１００は、車両の前後方向の中心軸ＣＡに対して対象であることを除いて互いに同等の構造を有している。そこで以下では、サンルーフ装置１１の構成部材であって、車両後方から見て右側に配置された部材の構造について主に説明するが、左側に配置された部材も同様の構造を有している。
【００２５】
図３に示すように、ガイドレール１３の車両前側の端部には、車両後方に向かって斜め上方に延びる傾斜部１３Ａが設けられている。また、ガイドレール１３には、車両幅方向において互いに向かい合うように突出するとともに車両前後方向に延びる板状のレール部１３Ｇが形成されている。
【００２６】
ブラケット１００の車両前側の部位であって車両幅方向に対して直交する両側面には、傾斜部１３Ａに沿って移動する案内部１１０が突出して固定されている。また、ブラケット１００の車両前側の部位であって案内部１１０よりも車両後方の部位の側面には、車両上下方向に延びる縦長の係合孔１２０が形成されている。また、ブラケット１００の下面には、ブラケット１００の長手方向（車両前後方向）に沿って延びており、後述のスライダ３６０が摺動可能に係合するフランジ部１５１を有したスライダブラケット１５０が固定されている。なお、本実施形態では、ブラケット１００にスライダブラケット１５０を固定するようにしているが、ブラケット１００にスライダブラケット１５０を一体形成してもよい。
【００２７】
フロント摺動機構２００は、ブラケット１００が回動可能に係合するシュー本体を構成するフロントシュー２１０と、モータ１５から駆動力が伝達されることによりガイドレール１３に沿って車両前後方向に移動する上記のフロント駆動シュー２３０とを備えている。また、フロント摺動機構２００は、フロントシュー２１０と一体になってガイドレール１３を移動するとともにフロント駆動シュー２３０に対して係脱可能なフロントチェック２２０を有している。なお、本実施形態では、フロントシュー２１０、フロント駆動シュー２３０、及びフロントチェック２２０を樹脂材料で形成しているが、他の材料で形成してもよい。
【００２８】
リア摺動機構３００は、モータ１５から駆動力が伝達されることによりガイドレール１３に沿って車両前後方向に移動する上記のリア駆動シュー３３０と、ガイドレール１３に沿って車両前後方向に移動するとともにリア駆動シュー３３０に対して係脱可能なリアチェック３２０とを備えている。また、リア摺動機構３００は、リアチェック３２０と一体になってガイドレール１３に沿いながら車両前後方向に移動するシュー本体を構成するリアシュー３１０と、ガイドレール１３に固定されるブロック３４０とを備えている。また、リア摺動機構３００は、ブロック３４０に回動可能に支持されてブラケット１００を昇降させるリンクプレート３５０と、リンクプレート３５０に回動可能に支持されてブラケット１００を車両前後方向に摺動するスライダ３６０とを有している。なお、本実施形態では、リア駆動シュー３３０、リアチェック３２０、リアシュー３１０、ブロック３４０、リンクプレート３５０、及びスライダ３６０を樹脂材料で形成しているが、他の材料で形成してもよい。
【００２９】
図４を参照してフロント摺動機構２００の構造を詳細に説明する。
同図４に示すように、フロントシュー２１０の車両前側の部位の側面（より詳細には車両幅方向に対して直交する側面）には、上記係合孔１２０に係合する金属製のピン２１１が突出して設けられている。このピン２１１の外周面には、樹脂製のカラー２１２が設けられている。従って、ピン２１１はカラー２１２を介して係合孔１２０に係合するようになっている。なお、本実施形態では、カラー２１２の材質がポリアセタール樹脂となっているが、耐摩耗性が高く金属よりも摺動抵抗が低い他の樹脂を使ってもよい。
【００３０】
また、フロントシュー２１０の側面には、フロントチェック２２０の車両前側の端部に形成された穴２２３に挿入される円柱状の軸２１３が突出して設けられている。フロントチェック２２０は軸２１３を中心にして回動するとともに、穴２２３と軸２１３との係合を通じてフロントシュー２１０と一体になってガイドレール１３に沿いながら車両前後方向に移動する。また、フロントシュー２１０の側面には、ガイドレール１３のレール部１３Ｇを摺動する摺動部２１４が設けられている。
【００３１】
フロントチェック２２０の車両後側の部位であってその上部には、車両前方に向かって開口するフロント係合溝２２２が設けられている。また、フロントチェック２２０の車両後側の部位であってその下部には、下方に突出するフロント係止部２２１が設けられている。なお、フロントチェック２２０は、適宜の付勢部材（例えばスプリングなど）により下方に向けて付勢されている。
【００３２】
フロント駆動シュー２３０の側面（より詳細には車両幅方向に対して直交する側面）には、ガイドレール１３のレール部１３Ｇを摺動する摺動部２３１が設けられている。また、フロント駆動シュー２３０には、上記フロント係合溝２２２に対して係合及び離脱するフロント係合部２３２が車両幅方向に突出して設けられている。
【００３３】
次に、図５を参照してリア摺動機構３００の構造を詳細に説明する。なお、図５において一点鎖線Ｍにて囲んだ部分は、リアシュー３１０が有する一対の側壁３１９にあって互いに対向する面の構造、つまり側壁３１９の内側の構造を示す。
【００３４】
図５に示すように、リンクプレート３５０は略板状であって、車両幅方向に沿ってブロック３４０に挿入されたリンクピン３７０によって端部近傍が支持されることにより、ブロック３４０に対して回動可能に支持されている。なお、可動パネル１２が閉塞状態になっているときには、リンクプレート３５０は車両前方に向かって倒れている。また、リンクピン３７０の中心軸は、リンクプレート３５０の回動中心軸Ｒ１になっている。
【００３５】
リンクピン３７０に軸支される端部とは反対の端部近傍におけるリンクプレート３５０の両側面（より詳細には車両幅方向に対して直交する両側面）には、一対の第１ピン３５１がそれぞれ突出して同軸上に設けられている。また、リンクプレート３５０の両側面において第１ピン３５１よりもリンクピン３７０に近い位置には、一対の第２ピン３５２が両側面からそれぞれ突出して同軸上に設けられている。また、リンクプレート３５０において第１ピン３５１が設けられた側の端部には、スライダ３６０を回動可能に支持するスライダピン３８０が車両幅方向に沿って挿入されている。このスライダピン３８０の中心軸は、スライダ３６０の回動中心軸Ｒ３となっている。
【００３６】
図６に示すように、リンクプレート３５０の回動中心軸Ｒ１と第１ピン３５１の中心軸Ｒ２との間の距離を第１距離Ｌ１とし、回動中心軸Ｒ１とスライダ３６０の回動中心軸Ｒ３との間の距離を第２距離Ｌ２とする。そして、この第１距離Ｌ１は第２距離Ｌ２以上の長さとなるように、リンクピン３７０及び第１ピン３５１及びスライダピン３８０の位置は設定されている。
【００３７】
先の図５に示すように、スライダ３６０は、スライダピン３８０によって軸支される軸支部３６２と、この軸支部３６２に固定されてスライダブラケット１５０の上記フランジ部１５１が摺動するスライダ部３６１とを有している。
【００３８】
ブロック３４０は、ボルトなどを使ってガイドレール１３の底面に固定されており、リンクプレート３５０を挟む一対の側壁３４３を有している。各側壁３４３の外側の面であってその上部には、後述の突出部３１７が当接することで撓む第１撓み部３４１がそれぞれ設けられている。この第１撓み部３４１は、車両前後方向に延びており側壁３４３の外側に向かって突出するように湾曲している。
【００３９】
また、リンクプレート３５０に対向する各側壁３４３の内側の面には、車両上下方向に延びており、ブラケット１００の上昇が完了した状態においてリンクプレート３５０に当接する突出部３４２が設けられている。この突出部３４２は、ブラケット１００の上昇完了時においてリンクプレート３５０のがたつきを抑えるために設けられている。
【００４０】
リアシュー３１０は、車両幅方向に並ぶ一対の側壁３１９を有しており、これら側壁３１９の間にリンクプレート３５０は配置される。各側壁３１９の車両後側の端部には、車両幅方向に沿って突出しており互いに対向する一対の軸部３１２が設けられている。
【００４１】
また、リンクプレート３５０に対向する各側壁３１９の内側の面には、車両前方に向かって斜め上方に延びた部位を有して上記第１ピン３５１が係合する第１溝部３１３が形成されている。この第１溝部３１３の車両後側の端部は閉塞されており、車両前側の端部は開放されている。
【００４２】
また、各側壁３１９の内側の面であって第１溝部３１３の上方の部位には、車両前方に向かって斜め上方に延びた部位を有して上記第２ピン３５２が係合する第２溝部３１４が形成されている。この第２溝部３１４の車両後側の端部は開放されており、車両前側の端部は閉塞されている。
【００４３】
図７や先の図６に示すように、第２溝部３１４の車両前側の端部近傍であって、ブラケット１００の上昇が完了した状態において、上記第２ピン３５２の先端面が対向する第２溝部３１４の部位には、第２ピン３５２の先端面に当接する突出部３１８が第２溝部３１４の延びる方向に沿って設けられている。
【００４４】
先の図５に示すように、各側壁３１９の内側の面であって第１溝部３１３と第２溝部３１４との間の部位には、車両前後方向に延びるようにして突出した上記の突出部３１７が設けられている。また、各側壁３１９の内側の面であってその下部の車両前側には、ブロック３４０の側壁３４３が当接することにより撓む第２撓み部３１５が設けられており、同じく下部の車両後側にも、ブロック３４０の側壁３４３が当接することにより撓む第３撓み部３１６が設けられている。これら第２撓み部３１５及び第３撓み部３１６は、車両前後方向に延びており側壁３１９の内側の面から突出するように湾曲している。
【００４５】
先の図７に示すように、ブラケット１００の上昇が完了した状態において、リアシュー３１０とブロック３４０とが車両幅方向においてオーバラップする部位に、ブロック３４０の上記第１撓み部３４１及びリアシュー３１０の上記突出部３１７は設けられている。また、ブラケット１００の上昇が完了した状態において、リアシュー３１０とブロック３４０とが車両幅方向においてオーバラップする部位に、上記第２撓み部３１５及び上記第３撓み部３１６は設けられている。
【００４６】
先の図５に示すように、リアシュー３１０の各側壁３１９には、ガイドレール１３のレール部１３Ｇを摺動する摺動部３１１が設けられている。
リアチェック３２０は、車両前方に延びる一対のアーム部３２１を有しており、各アーム部３２１の車両前側の端部には、リアシュー３１０の上記軸部３１２が挿入される孔３２２が設けられている。リアチェック３２０は、軸部３１２を中心にして回動するとともに、孔３２２と軸部３１２との係合を通じてリアシュー３１０と一体になってガイドレール１３に沿いながら車両前後方向に移動する。また、ブロック３４０は、一対のアーム部３２１の間に配置される。
【００４７】
リアチェック３２０の車両後側の部位には、車両後方に向かって開口するリア係合溝３２３が設けられている。また、リアチェック３２０の車両後側の端部には、車両幅方向に延びておりその両端がレール部１３Ｇの上面を摺動するリア係止部３２４が設けられている。なお、リアチェック３２０は、適宜の付勢部材（例えばスプリングなど）により下方に向かって付勢されている。
【００４８】
リア駆動シュー３３０の側面（より詳細には車両幅方向に直交する側面）には、ガイドレール１３のレール部１３Ｇを摺動する摺動部３３１が設けられている。また、リア駆動シュー３３０には、上記リア係合溝３２３に対して係合及び離脱するリア係合部３３２が車両幅方向に突出して設けられている。
【００４９】
次に、図８を参照してサンルーフ装置１１の基本的な動作を説明する。そして、図９〜図１２を参照して上記構成を備えるフロント摺動機構２００の動作及び作用を詳細に説明するとともに、図１３〜図１６を参照して上記構成を備えるリア摺動機構３００の動作及び作用を詳細に説明する。
【００５０】
図８（Ａ）は、サンルーフ装置１１の閉塞状態を示す。この図８（Ａ）に示すように、フロントシュー２１０及びリアシュー３１０の双方が可動範囲内における車両前側の端部に位置しているときには、ブラケット１００の車両前部及び車両後部はともに最も下降した位置になっており、ブラケット１００に支持された可動パネル１２（図示略）は閉塞状態になっている。
【００５１】
図８（Ｂ）は、サンルーフ装置１１のチルトアップ状態を示す。この図８（Ｂ）に示すように、モータ１５の駆動力が伝達されることにより、リア駆動シュー３３０が車両後方に移動すると、このリア駆動シュー３３０の移動に伴ってリアチェック３２０及びリアシュー３１０が車両後方に移動する。このようにしてリアシュー３１０が車両後方に移動すると、リンクプレート３５０が車両後方に向かって回動することにより、ブラケット１００は車両前側の部位を支点にして車両後側の部位が上昇するチルトアップ動作を行う。なお、このチルトアップ動作の過程では、リア駆動シュー３３０の移動に伴ってフロント駆動シュー２３０も車両後方に移動するが、フロント駆動シュー２３０とフロントチェック２２０との係合は解除された状態になっている。そのため、フロントシュー２１０は上記閉塞状態の位置から移動することなくその位置は保持されたままになっている。
【００５２】
図８（Ｃ）は、サンルーフ装置１１のスライド動作状態を示す。この図８（Ｃ）に示すように、チルトアップ動作が完了して、リア駆動シュー３３０とリアチェック３２０との係合が解除されると、リアチェック３２０から外れたリア駆動シュー３３０のみが車両後方に移動する。こうしたリア駆動シュー３３０の移動によってフロント駆動シュー２３０が車両後方に移動すると、フロント駆動シュー２３０とフロントチェック２２０とが係合してフロントシュー２１０が車両後方に移動する。こうしたフロントシュー２１０の移動によって、ブラケット１００は車両後方に移動してスライド動作することにより、可動パネル１２も車両後方に移動してルーフ１０の開口部１０ａが開口する。
【００５３】
なお、車両後方に移動したフロントシュー２１０及びリアシュー３１０が車両前方に移動すると、上記の逆順でサンルーフ装置１１は動作する。
次に、フロント摺動機構２００の動作及び作用を説明する。
【００５４】
図９に、閉塞状態におけるフロント摺動機構２００の状態を示す。
この図９に示すように、閉塞状態では、フロント駆動シュー２３０のフロント係合部２３２は、フロントチェック２２０のフロント係合溝２２２から外れており、フロント駆動シュー２３０とフロントチェック２２０との係合は解除されている。また、閉塞状態では、フロントシュー２１０のフロント係止部２２１が、ガイドレール１３の底面に設けられた孔１３Ｃに嵌まっているため、車両前後方向へのフロントシュー２１０の移動が規制されている。
【００５５】
図１０に示すように、車両後方へのリア駆動シュー３３０の移動に伴ってフロント駆動シュー２３０が車両後方に移動すると、フロント駆動シュー２３０のフロント係合部２３２がフロントチェック２２０のフロント係合溝２２２に嵌まることにより、フロント駆動シュー２３０とフロントチェック２２０とが係合する。
【００５６】
フロント係合部２３２とフロント係合溝２２２とが係合すると、フロント係合部２３２からフロント係合溝２２２に伝わる付勢力によってフロントチェック２２０は上方に回動する。フロントチェック２２０が上方に回動すると、フロントシュー２１０のフロント係止部２２１がガイドレール１３の孔１３Ｃから外れることにより、フロントシュー２１０は移動可能な状態になるため、フロント駆動シュー２３０の移動に伴ってフロントシュー２１０を含むフロント摺動機構２００全体が車両後方に移動する。
【００５７】
フロント摺動機構２００が車両後方に移動すると、フロントシュー２１０に設けられて外周面にカラー２１２を有するピン２１１とブラケット１００の係合孔１２０とが係合しているため、これらピン２１１と係合孔１２０との係合により、ブラケット１００はフロント摺動機構２００によって直接車両後方へと移動される。
【００５８】
ブラケット１００が車両後方に移動すると、ブラケット１００において車両前側に設けられた案内部１１０がガイドレール１３の傾斜部１３Ａに沿うようにして、車両後方に向かい斜め上方に移動することにより、ブラケット１００の車両前部は上昇する。このように本実施形態では、フロント摺動機構２００が車両後方に移動するとブラケット１００の車両前部は速やかに上昇する。そして、そうしたブラケット１００の上昇により、可動パネル１２において車両前側の部位が上昇する。
【００５９】
図１１に示すように、フロント駆動シュー２３０の移動に伴ってフロント摺動機構２００が車両後方へと更に移動すると、ブラケット１００の案内部１１０とガイドレール１３との摺動部位は傾斜部１３Ａからレール部１３Ｇに移る。このようにして摺動部位が傾斜部１３Ａからレール部１３Ｇに移ると、ブラケット１００の車両前部の上昇は完了して、当該ブラケット１００はレール部１３Ｇに沿って車両後方に移動するスライド動作に移行することにより、可動パネル１２も車両後方に移動して開口部１０ａが開口する。
【００６０】
他方、図１２に示すように、ブラケット１００の係合孔１２０とフロントシュー２１０のピン２１１との係合は、ピン２１１の外周面に設けられた樹脂製のカラー２１２を介して行われる。そのため、係合孔１２０に金属製のピン２１１を直接係合させる場合と比較して、係合孔１２０とピン２１１とが互いに相対移動する際の摺動抵抗が低減される。
【００６１】
なお、車両後方に移動したフロント駆動シュー２３０が車両前方に移動すると、上記の逆順でフロント摺動機構２００は動作する。
次に、リア摺動機構３００の動作及び作用を説明する。
【００６２】
図１３に、リア摺動機構３００の動作態様を示す。なお、図１３（Ａ）には、閉塞状態におけるリア摺動機構３００の状態を示し、図１３（Ｂ）には、チルトアップ途中のリア摺動機構３００の状態を示す。そして、図１３（Ｃ）には、ブラケット１００の上昇が完了した状態、つまりチルトアップ動作が完了した状態におけるリア摺動機構３００の状態を示す。
【００６３】
図１３（Ａ）に示すように、閉塞状態では、リア駆動シュー３３０のリア係合部３３２がリアチェック３２０のリア係合溝３２３に嵌まっており、これによりリア駆動シュー３３０とリアチェック３２０とは係合状態になっている。
【００６４】
また、リアチェック３２０のリア係止部３２４は、ガイドレール１３のレール部１３Ｇに設けられた切り欠き部１３Ｄよりも車両前側の位置で、レール部１３Ｇの上面に接触しており、これによりリアシュー３１０の車両後方への移動が可能な状態になっている。
【００６５】
また、リンクプレート３５０は車両前方に向かって倒れており、これによりスライダ３６０の車両上下方向における位置は最も低い位置になっている。
そして、リンクプレート３５０の両側面に設けられた各第１ピン３５１は、フロントシュー２１０に設けられた各第１溝部３１３にそれぞれ係合している。閉塞状態では、第１ピン３５１と第１溝部３１３との係合位置が、第１溝部３１３の最下位置である車両後側の先端部近傍の位置になっている。一方、リンクプレート３５０の両側面に設けられた各第２ピン３５２は、フロントシュー２１０に設けられた各第２溝部３１４に係合しておらず、第２溝部３１４の車両後側の端部よりも車両後方に位置している。
【００６６】
図１３（Ｂ）に示すように、車両後方へのリア駆動シュー３３０の移動に伴ってリアチェック３２０及びリアシュー３１０が車両後方に移動すると、リアシュー３１０に設けられた第１溝部３１３に沿って第１ピン３５１が上方に移動し、リンクプレート３５０はその先端を上方に持ち上げるようにして車両前方から車両後方へと回動する。
【００６７】
そして、第１ピン３５１が第１溝部３１３の最上位置である車両前側の開放端部近傍に達すると、第２溝部３１４の最下位置である車両後側の開放端部から第２ピン３５２が当該第２溝部３１４に侵入して同第２溝部３１４に係合する。
【００６８】
図１３（Ｃ）に示すように、第２ピン３５２と第２溝部３１４とが係合した後に、更にリア駆動シュー３３０が車両後方に移動すると、第１ピン３５１は第１溝部３１３から外れる。他方、第２ピン３５２と第２溝部３１４とは係合しているため、リア駆動シュー３３０の移動に伴ってリアチェック３２０及びリアシュー３１０が車両後方に移動すると、リアシュー３１０の第２溝部３１４に沿って第２ピン３５２が上方に移動することにより、車両前方から車両後方へと回動するリンクプレート３５０の動作が継続される。こうした車両前方から車両後方へのリンクプレート３５０の回動によって、スライダ３６０の位置は車両上方へと変位し、これによりスライダ３６０に対して摺動可能に支持されたブラケット１００が上昇することにより、ブラケット１００に支持された可動パネル１２の車両後側の部位が上昇して、チルトアップ動作が行われる。
【００６９】
また、チルトアップ動作が完了する位置にまでリア駆動シュー３３０が車両後方に移動すると、リアチェック３２０のリア係止部３２４は、レール部１３Ｇの切り欠き部１３Ｄに落ち込んで当該切り欠き部１３Ｄに嵌まることにより、リアチェック３２０及びリアシュー３１０の車両前後方向への移動が規制される。このようにしてリアシュー３１０の車両前後方向への移動が規制されることにより、チルトアップ動作の完了した可動パネル１２の状態が保持される。
【００７０】
また、リアチェック３２０のリア係止部３２４がレール部１３Ｇの切り欠き部１３Ｄに嵌まることにより、リアチェック３２０が下方に回動すると、リア駆動シュー３３０のリア係合部３３２がリアチェック３２０のリア係合溝３２３から外れることにより、リア駆動シュー３３０とリアチェック３２０との係合が解除される。リア駆動シュー３３０とリアチェック３２０との係合が解除されると、リア駆動シュー３３０はリア摺動機構３００から離れて単独で車両後方へ移動することが可能になり、このようにしてリア駆動シュー３３０が単独で車両後方へ移動することにより、上述したフロント摺動機構２００によるスライド動作が行われる。
【００７１】
なお、車両後方に移動したリア駆動シュー３３０が車両前方に移動すると、上記の逆順でリア摺動機構３００は動作する。
本実施形態のサンルーフ装置１１では、上述したように、リア駆動シュー３３０の移動に伴ってリアシュー３１０が移動すると、チルトアップ動作の前半やチルトダウン動作の後半では、第１溝部３１３における第１ピン３５１の係合位置が変位することによってリンクプレート３５０は回動する。また、チルトアップ動作の後半やチルトダウン動作の前半では、第２溝部３１４における第２ピン３５２の係合位置が変位することにより、リンクプレート３５０は回動する。こうしたリンクプレート３５０の回動を通じてスライダ３６０の位置が車両上下方向に変位することにより、ブラケット１００は昇降されて可動パネル１２の昇降動作（チルトアップ動作及びチルトダウン動作）が行われる。
【００７２】
このように動作するサンルーフ装置１１では、先の図６に示したように、リンクプレート３５０の回動中心軸Ｒ１が支点、第１溝部３１３と第１ピン３５１との係合部位が力点、スライダ３６０の回動中心軸Ｒ３が作用点になっている。
【００７３】
ここで、本実施形態では、上述したように、リンクプレート３５０の回動中心軸Ｒ１と第１ピン３５１の中心軸Ｒ２との間の距離を第１距離Ｌ１とし、回動中心軸Ｒ１とスライダ３６０の回動中心軸Ｒ３との間の距離を第２距離Ｌ２としたときに、第１距離Ｌ１は第２距離Ｌ２以上の長さとなっている。つまり、支点と力点との間の距離である第１距離Ｌ１の長さは、支点と作用点との間の距離である第２距離Ｌ２の長さ以上にされており、リンクプレート３５０におけるレバー比は「１」以上になっている。そのため、力点である第１溝部３１３及び第１ピン３５１の係合部位に働く力よりも、作用点であるスライダ３６０の回動中心軸Ｒ３に作用する力の方が大きくなる。従って、第１距離Ｌ１が第２距離Ｌ２よりも短く、レバー比が「１」未満になっている場合と比較して、可動パネル１２を閉じる際にスライダ３６０を下降させる力が大きくなる。
【００７４】
また、本実施形態では、第１溝部３１３及び第１ピン３５１の係合によるリンクプレート３５０の回動途中に、そのリンクプレート３５０の回動を、上述した第２溝部３１４及び第２ピン３５２の係合によるリンクプレート３５０の回動に切り換えている。そのため、単一の溝部及びピンでリンクプレート３５０を回動させる場合と比較して、同じ回動量を確保するために必要な溝部の長さを短くすることが可能になる。
【００７５】
また、先の図５、図６、図１３等に示したように、リアシュー３１０に設けられた一対の側壁３１９の間にリンクプレート３５０は配置されており、側壁３１９に挟まれたリンクプレート３５０の両側面には第１ピン３５１がそれぞれ設けられている。そして、第１ピン３５１が係合する第１溝部３１３をリアシュー３１０の一対の側壁３１９にそれぞれ設けている。そのため、リンクプレート３５０を回動させる力が、第１溝部３１３及び第１ピン３５１を介してリンクプレート３５０の両側面から働くようになる。
【００７６】
同様に、リアシュー３１０の側壁３１９に挟まれたリンクプレート３５０の両側面には第２ピン３５２がそれぞれ設けられている。そして、第２ピン３５２が係合する第２溝部３１４をリアシュー３１０の一対の側壁３１９にそれぞれ設けている。そのため、リンクプレート３５０を回動させる力が、第２溝部３１４及び第２ピン３５２を介してリンクプレート３５０の両側面から働くようになる。
【００７７】
他方、図１４に示すように、ブラケット１００の上昇が完了した状態では、リアシュー３１０に設けられた一対の側壁３１９の各第２溝部３１４にそれぞれ設けられた突出部３１８が、リンクプレート３５０に設けられた第２ピン３５２の各先端面に当接する。そのため、ブラケット１００の上昇が完了した状態において、リンクプレート３５０とリアシュー３１０との間のがたつきが抑えられる。
【００７８】
また、図１５に示すように、ブラケット１００の上昇が完了した状態では、ブロック３４０の各側壁３４３に設けられた第１撓み部３４１と、リアシュー３１０の側壁３１９に設けられた各突出部３１７とがそれぞれ当接するため、リアシュー３１０とブロック３４０とは互いに付勢される。従って、ブラケット１００の上昇が完了した状態において、ガイドレール１３に固定されたブロック３４０に対するリアシュー３１０のがたつきが抑えられる。
【００７９】
また、図１５に示すように、ブラケット１００の上昇が完了した状態では、リアシュー３１０の各側壁３１９に設けられた第２撓み部３１５及び第３撓み部３１６が、ブロック３４０の各側壁３４３にそれぞれ当接するため、リアシュー３１０及びブロック３４０は互いに付勢される。従って、これによってもブラケット１００の上昇が完了した状態において、ガイドレール１３に固定されたブロック３４０に対するリアシュー３１０のがたつきが抑えられる。
【００８０】
以上説明した本実施形態のサンルーフ装置１１によれば、次の効果を得ることができる。
（１）ガイドレール１３を移動する摺動部材が移動してもブラケット１００が直ちに移動しないリンク機構などを備えるサンルーフ装置の場合には、ブラケット１００に支持された可動パネル１２の車両前後方向における開口量が少なくなってしまう。この点、上記実施形態のサンルーフ装置１１では、ブラケット１００がフロント摺動機構２００によって直接移動されるため、フロント摺動機構２００の移動（より詳細にはフロントシュー２１０の移動）が直ちにブラケット１００の移動に反映される。従って、ブラケット１００に支持された可動パネル１２の車両前後方向における開口量を増加させることができるようになる。
【００８１】
（２）また、リンク機構を用いることなく、簡素な構造で可動パネル１２の前部を上昇させることができるため、サンルーフ装置の部品点数や重量を削減することができる。
（３）係合孔１２０は車両上下方向に延びる縦長の形状になっているため、そうした係合孔１２０を車両上下方向に対して斜めに設ける場合と比較して、ガイドレール１３に沿う方向へのフロント摺動機構２００の移動がガイドレール１３に沿う方向へのブラケット１００の移動へと直接変換される。従って、これによってもブラケット１００に支持される可動パネル１２の車両前後方向における開口量を増加させることができる。
【００８２】
（４）ピン２１１の外周面に樹脂製のカラー２１２を設けているため、係合孔１２０とピン２１１とが相対移動する際の摺動抵抗を低減することができる。他方、アウトサート成形にて係合孔１２０の周囲に樹脂を一体成形する場合にも同様に摺動抵抗を低減することは可能ではあるが、上記実施形態によれば、そうした一体成形に要する工数やコスト等を削減することも可能になる。
【００８３】
（５）上記第１距離Ｌ１は上記第２距離Ｌ２以上の長さになっているため、第１距離Ｌ１が第２距離Ｌ２よりも短くレバー比が「１」未満になっている場合と比較して、可動パネル１２を閉じる際にスライダ３６０を下降させる力が大きくなる。従って、可動パネル１２を閉塞動作させるときにリンクプレート３５０を効率よく回動させることができるようになる。
【００８４】
（６）第１溝部３１３及び第１ピン３５１の係合によるリンクプレート３５０の回動途中に、そのリンクプレート３５０の回動を、上述した第２溝部３１４及び第２ピン３５２の係合によるリンクプレート３５０の回動に切り換えている。そのため、単一の溝部及びピンでリンクプレート３５０を回動させる場合と比較して、同じ回動量を確保するために必要な溝部の長さを短くすることが可能になり、例えば溝部を備えるリアシュー３１０をより小型化することも可能になる。
【００８５】
（７）リンクプレート３５０の両側面に第１ピン３５１をそれぞれ設けるとともに、第１ピン３５１が係合する第１溝部３１３をリアシュー３１０の一対の側壁３１９にそれぞれ設けている。そのため、第１溝部３１３及び第１ピン３５１を介してリンクプレート３５０の両側面から同リンクプレート３５０を回動させる力が働くようになるため、リンクプレート３５０が回動中心軸Ｒ１に対して傾くようにして回動することが抑えられるようになる。そのため、例えば第１溝部３１３と第１ピン３５１との摺動抵抗や、リンクプレート３５０を回動可能に支持するリンクピン３７０の摺動抵抗などを抑えることができる。
【００８６】
（８）リンクプレート３５０の両側面に第２ピン３５２をそれぞれ設けるとともに、第２ピン３５２が係合する第２溝部３１４をリアシュー３１０の一対の側壁３１９にそれぞれ設けている。そのため、第２溝部３１４及び第２ピン３５２を介してリンクプレート３５０の両側面から同リンクプレート３５０を回動させる力が働くようになるため、リンクプレート３５０が回動中心軸Ｒ１に対して傾くようにして回動することが抑えられるようになる。そのため、例えば第２溝部３１４と第２ピン３５２との摺動抵抗や、リンクプレート３５０を回動可能に支持するリンクピン３７０の摺動抵抗などを抑えることができる。
【００８７】
（９）第２溝部３１４のそれぞれに突出部３１８を設けることにより、リンクプレート３５０とリアシュー３１０との間のがたつきを抑えるようにしている。ここで、上記実施形態では、そうした突出部３１８を、ブラケット１００の上昇が完了した状態において、第２ピン３５２の先端面が対向する第２溝部３１４の部位に設けている。そのため、ブラケット１００の上昇が完了した状態では第２ピン３５２の先端面が突出部３１８に当接するものの、ブラケット１００が下降した状態では突出部３１８に第２ピン３５２の先端面が当接しないようになっている。従って、ブラケット１００の位置によらず第２ピン３５２の先端面が突出部３１８に対して常に当接する場合と比較して、突出部３１８や第２ピン３５２の先端面におけるへたり、あるいは摩耗等を抑えることができる。
【００８８】
（１０）第１撓み部３４１、第２撓み部３１５、第３撓み部３１６を備えることにより、ガイドレール１３に固定されたブロック３４０に対するリアシュー３１０のがたつきを抑えるようにしている。ここで、上記実施形態では、そうした各撓み部３４１，３１５，３１６を、ブラケット１００の上昇が完了した状態においてリアシュー３１０とブロック３４０とが車両幅方向においてオーバラップする部位に設けている。そのため、ブラケット１００の上昇が完了した状態では上記の各撓み部３４１，３１５，３１６が撓むことでリアシュー３１０及びブロック３４０は互いに付勢されるものの、ブラケット１００が下降した状態では上記の各撓み部３４１，３１５，３１６は撓まないようになっている。従って、ブラケット１００の位置によらず各撓み部３４１，３１５，３１６が常に撓む場合と比較して、それら各撓み部３４１，３１５，３１６のへたりを抑えることができる。
【００８９】
なお、上述した突出部３１８を備えることにより、リンクプレート３５０とリアシュー３１０との間のがたつきは抑えられるが、リアシュー３１０自体ががたつくとリンクプレート３５０もがたついてしまう。この点、上記実施形態では、各撓み部３４１，３１５，３１６も合わせて備えるようにしているため、ブロック３４０と各撓み部３４１，３１５，３１６とによってリアシュー３１０自体のがたつきが抑えられる。そのため、リンクプレート３５０のがたつきをより確実に抑えることができる。
【００９０】
なお、上記実施形態は、これを適宜変更した以下の形態にて実施することもできる。
・第２ピン３５２及び第２溝部３１４を省略して、第１ピン３５１及び第１溝部３１３だけでリンクプレート３５０を回動させるようにしてもよい。なお、この場合には上述した突出部３１８を、ブラケット１００の上昇が完了した状態において、第１ピン３５１の各先端面がそれぞれ対向する第１溝部３１３の部位に設けることにより、上記（９）と同様な効果を得ることができる。
【００９１】
・リアシュー３１０の上記突出部３１７を省略して、ブロック３４０の第１撓み部３４１をリアシュー３１０の側壁３１９に直接当接させてもよい。
・上記第１撓み部３４１をリアシュー３１０に設けたり、上記第２撓み部３１５や第３撓み部３１６をブロック３４０に設けてもよい。また、各撓み部３４１，３１５，３１６の全てをブロック３４０に設けてもよい。また、各撓み部３４１，３１５，３１６の全てをリアシュー３１０に設けてもよい。
【００９２】
・各撓み部３４１，３１５，３１６の配設数は、適宜変更することができる。
・各撓み部３４１，３１５，３１６の全てを省略してもよい。
・上記溝部に設けた上記突出部３１８を省略してもよい。
【００９３】
・ブロック３４０の上記突出部３４２を省略してもよい。
・上記係合孔１２０をフロントシュー２１０に設けるとともに、上記ピン２１１をブラケット１００に設けてもよい。
【００９４】
・ピン２１１に設けたカラー２１２を省略してもよい。
【符号の説明】
【００９５】
１０…ルーフ、１０ａ…開口部、１１…サンルーフ装置、１２…可動パネル、１３…ガイドレール、１３Ａ…傾斜部、１３Ｃ…孔、１３Ｄ…切り欠き部、１３Ｇ…レール部、１４…ハウジング、１５…モータ、１６…駆動ベルト、１００…ブラケット、１１０…案内部、１２０…係合孔、１５０…スライダブラケット、１５１…フランジ部、２００…フロント摺動機構、２１０…フロントシュー、２１１…ピン、２１２…カラー、２１３…軸、２１４…摺動部、２２０…フロントチェック、２２１…フロント係止部、２２２…フロント係合溝、２２３…穴、２３０…フロント駆動シュー、２３１…摺動部、２３２…フロント係合部、３００…リア摺動機構、３１０…リアシュー、３１１…摺動部、３１２…軸部、３１３…第１溝部、３１４…第２溝部、３１５…第２撓み部、３１６…第３撓み部、３１７…突出部、３１８…突出部、３１９…側壁、３２０…リアチェック、３２１…アーム部、３２２…孔、３２３…リア係合溝、３２４…リア係止部、３３０…リア駆動シュー、３３１…摺動部、３３２…リア係合部、３４０…ブロック、３４１…第１撓み部、３４２…突出部、３４３…側壁、３５０…リンクプレート、３５１…第１ピン、３５２…第２ピン、３６０…スライダ、３６１…スライダ部、３６２…軸支部、３７０…リンクピン、３８０…スライダピン。
【図１】
2019043153.tif 000003
【図２】
2019043153.tif 000004
【図３】
2019043153.tif 000005
【図４】
2019043153.tif 000006
【図５】
2019043153.tif 000007
【図６】
2019043153.tif 000008
【図７】
2019043153.tif 000009
【図８】
2019043153.tif 000010
【図９】
2019043153.tif 000011
【図１０】
2019043153.tif 000012
【図１１】
2019043153.tif 000013
【図１２】
2019043153.tif 000014
【図１３】
2019043153.tif 000015
【図１４】
2019043153.tif 000016
【図１５】
2019043153.tif 000017
【図１６】
2019043153.tif 000018